【手続補正書】
【提出日】平成24年2月17日(2012.2.17)
【手続補正１】
【補正対象書類名】明細書
【補正対象項目名】００１５
【補正方法】変更
【補正の内容】
【００１５】
支持体４の上方部を形成する飲み口６は、断面略卵形状であり、軸線Ｘ−Ｘに対して垂直である軸線Ｙ−Ｙに対して平行に、飲み口６の長い方の寸法を有する。したがって、図４に示される飲み口６の断面は楕円形の外形を有し、当該外形は、軸線Ｙ−Ｙと一致する当該外形の主軸線を有し、かつ軸線Ｘ−Ｘと軸線Ｙ−Ｙとの両方に対して直角に交わる軸線Ｚ−Ｚ上にほぼ整列される当該外形の第２の軸線を有する。
【手続補正２】
【補正対象書類名】明細書
【補正対象項目名】００１９
【補正方法】変更
【補正の内容】
【００１９】
加えて、装置１は、支持体４に蝶着されるキャップ１４を含む。図１に示される“封鎖”第１位置において、キャップ１４は、容器２内に収容される液体の流出を防ぐために、漏れ止めのやり方で飲み口６の開口１０を閉鎖する。タブ８は、キャップ１４に設けられる貫通開口２４に係合される。図２に示される“開封”第２位置において、キャップ１４は、枢動軸線回りに枢動され、当該枢動軸線は、軸線Ｚ−Ｚに対して平行であり、支持体４に固定され又は支持体４と一体である部分１６にキャップ１４を接続する２つのヒンジストリップ１８を通過する。
【手続補正３】
【補正対象書類名】明細書
【補正対象項目名】００２６
【補正方法】変更
【補正の内容】
【００２６】
第２の段階において、軸線Ｚ−Ｚに沿って横方向に圧迫作用が及ぼされ続ける間に、タブ８は、貫通開口２４から離れる。キャップ１４は次いで、前述の枢動軸線回りに枢動することによって、キャップ１４の開封位置に移動することができる。軸線Ｙ−Ｙに沿った卵形状断面の飲み口６は、ユーザの口の形状に適合する。したがって、ユーザは、口内において、この十分に決められた方向に飲み口をくわえることが促される。ユーザは、キャップ１４によって妨げられない。
【手続補正４】
【補正対象書類名】明細書
【補正対象項目名】００２９
【補正方法】変更
【補正の内容】
【００２９】
図７に示される選択任意の構成として、留めタブ８の上面は、その自由端において、図７における上向きに傾斜した、すなわち軸線Ｘ−Ｘに向かって移動しつつ開口１０に向かって傾斜した、斜面８Ａを形成してもよい。斜面８Ａに加えて、又は斜面８Ａの代わりに、キャップ１４の下端１４１において、ヒンジストリップ１８から反対側にかつ留めタブ８に接触するように設計される斜面１４１Ａを、設けることができる。キャップ１４が封鎖位置にあるときに、前記斜面１４１Ａは、タブ８に形成される斜面８Ａと同じ方向、すなわち、軸線Ｘ−Ｘに向かって移動しつつ飲み口６内の開口１０に向かう方向に、傾斜するように構成される。２つの斜面８Ａ及び１４１Ａは、タブ８及びキャップ１４が製造されている間に、熱成形によって直接に形成されてもよい。したがって、キャップ１４を元のキャップ１４の封鎖位置に戻すことは、互いに対して摺動する前記斜面の互いの存在によって、さらに容易にされる。
【手続補正５】
【補正対象書類名】明細書
【補正対象項目名】００３０
【補正方法】変更
【補正の内容】
【００３０】
図７は、装置１の他の任意選択の構成を示し、当該構成は、実際には、直上に記載された構成と結合されてもよく、留めタブ８の自由端において、軸線Ｘ−Ｘに向かって移動しつつ上向きに傾斜する傾斜部８Ｂを形成するように、留めタブ８の下面を提供することから構成される一方で、開口２４の下縁部が傾斜部８Ｂに対して相補的である傾斜部２４Ａを画定する。これらの傾斜部８Ｂ及び傾斜部２４Ａの存在により、キャップ１４が明確に楕円形になるように圧迫されない限りは、タブ８を開口２４から離すことができなくなる。キャップ１４をその封鎖位置からその開封位置に駆動している間に、キャップ１４がほんの少しでも楕円形状になるように圧迫されたならば、傾斜部８Ｂの上端及び傾斜部２４Ａの下端のそれぞれが互いに接触し、傾斜部８Ｂ及び傾斜部２４Ａは次いで、互いに対して摺動し、したがって、タブ８の自由端は次いで、開口２４内に機械的に保持される。反対に、前記傾斜部同士の間の相対的な摺動接触は、ユーザがキャップ１４をさらに楕円形状にすることを妨げない。
【手続補正６】
【補正対象書類名】特許請求の範囲
【補正対象項目名】全文
【補正方法】変更
【補正の内容】
【特許請求の範囲】
【請求項１】
容器（２）のネック（３）に栓をするための栓装置（１）であって、
前記栓装置は、
・  支持体（４）であって
略チューブ状であり、
第１の軸線（Ｘ−Ｘ）を画定し、
ネックに固定されるのに適しており、
第１の軸線（Ｘ−Ｘ）に対してほぼ直角に交わる第２の軸線（Ｙ−Ｙ）に沿って、支持体から延びる留めタブ（８）が設けられる
支持体（４）と、
・  キャップ（１４）であって、
略環状断面であり、さらに、封鎖位置と開封位置との間を枢動するように支持体に蝶着され、
キャップ（１４）が封鎖位置にあるときに、タブが、前記キャップに備えられる開口（２４）に係合するのに適している、
キャップ（１４）と
を具備する、前記栓装置において、
栓装置がさらに、略環状断面の不正開封防止バンド（２０）であって、
支持体によって移動可能に支持され、
キャップがその封鎖位置からその開封位置に初めて移動するときに破断されるのに適した少なくとも１つの破断可能ブリッジ（２２）を介して、キャップの封鎖位置にあるキャップに接続される
不正開封防止バンド（２０）を具備し、
キャップ（１４）が、封鎖位置にあるときに、第１の軸線（Ｘ−Ｘ）と第２の軸線（Ｙ−Ｙ）との両方に対してほぼ直角に交わる第３の軸線（Ｚ−Ｚ）に沿って横方向に、キャップが圧迫されることにより卵形状断面をなすのに適し、
少なくとも１つのブリッジ（２２）が、第３の軸線が通過するバンド（２０）の部分に配置され、
キャップ（１４）がその卵形状断面をなすとき、ブリッジ（２２）が破断された後に、留めタブ（８）が、キャップの開口（２４）から離される、
栓装置。
【請求項２】
第３の軸線（Ｚ−Ｚ）が通過するバンド（２０）の部分に、全てのブリッジ（２２）が配置される、
請求項１に記載の装置。
【請求項３】
支持体（４）には、支持体の上部を形成する飲み口（６）と、さらに、少なくとも１つの開口斜面（１２）との両方が設けられ、
飲み口（６）に向かって面する当該斜面の第１の端（１２Ａ）が、支持体の外側に向かって面する当該斜面の反対側の第２の端（１２Ｂ）の高さよりも、大きい高さを有するように、当該斜面が構成される、
請求項１又は２に記載の装置。
【請求項４】
飲み口（６）が、第１の軸線（Ｘ−Ｘ）に中心合わせされる筒状であり、
飲み口（６）が、
円形、又は
第２の軸線（Ｙ−Ｙ）に沿って配置される飲み口（６）の長い方の寸法を有する卵形状
である、ベースを有する、
請求項３に記載の装置。
【請求項５】
少なくとも１つのブリッジ（２２）の２組が、飲み口（６）のそれぞれの側に配置され、第３の軸線（Ｚ−Ｚ）に沿って見ると、当該２組が互いに対向する、
請求項３又は４に記載の装置。
【請求項６】
装置には、少なくとも１つのフィン（２６）が設けられ、当該フィンは、第１の軸線（Ｘ−Ｘ）に沿って細長く、ブリッジ（２２）が破断される際に、不正開封防止バンド（２０）が落下するときに、当該バンドを導くのに適し、
前記フィンは、バンドと支持体（４）との間に介装される、
請求項１〜５のいずれか１項に記載の装置。
【請求項７】
装置には、複数のフィン（２６）が設けられ、当該フィンは均等に、バンド（２０）と支持体（４）との間に介装される、
請求項６に記載の装置。
【請求項８】
装置には、周囲リブが設けられ、当該周囲リブは、ブリッジ（２２）が破断される際に、不正開封防止バンド（２０）が落下するときに当該バンドを導くのに適し、
前記リブは、バンドと支持体（４）との間に介装される、
請求項１〜７のいずれか１項に記載の装置。
【請求項９】
装置には、キャップ（１４）がその封鎖位置に移動されたときに、開口（２４）内に留めタブ（８）を係合するための係合手段が設けられ、
前記係合手段が、
第１の軸線（Ｘ−Ｘ）に向かって移動しつつ飲み口（６）内の開口（１０）に向かって傾斜し、
留めタブの上面によって形成される
第１の斜面と、
キャップが封鎖位置にあるときに、第１の軸線（Ｘ−Ｘ）に向かって移動しつつ飲み口（６）の開口（１０）に向かって傾斜し、
キャップ（１４）の端（１４１）によって形成され、
留めタブ（８）と接触するのに適した、
第２の斜面と
の両方又は一方を含む、
請求項２〜８のいずれか１項に記載の装置。
【請求項１０】
前記装置は、キャップ（１４）がその卵形状断面をなすのにキャップが十分に圧迫されない場合に、開口（２４）内に留めタブ（８）を機械的に保持するための保持手段を有し、
前記保持手段が、
第１に、
第１の軸線（Ｘ−Ｘ）に向かって移動しつつ飲み口（６）に向かって傾斜し、
留めタブの下面によって形成される、
第１の傾斜部（８Ｂ）と、
第２に、
第１の傾斜部に対して相補的であり、
開口（２４）の下縁部によって形成される、
第２の傾斜部（２４Ａ）と
を含む、
請求項２〜９のいずれか１項に記載の装置。
【請求項１１】
キャップ（１４）が、その封鎖位置において、漏れ止めのやり方で支持体（４）を閉鎖し、
キャップが、その封鎖位置から、その封鎖位置とその開封位置との間の中間位置に移動する間に、支持体が、漏れ止めのやり方でキャップによって閉鎖され続け、
留めタブ（８）が開口（２４）から十分に離されたときにのみ、前記中間位置はキャップによってなされる、
請求項１〜１０のいずれか１項に記載の装置。